(57)【要約】【課題】液晶装置等の電気光学装置において、高品質な画像を表示させる。【解決手段】駆動回路は、複数のデータ線（６ａ）に対してｍ本の画像信号線を介してｍ系列にシリアル−パラレル変換された画像信号を出力することで電気光学装置（１００）を駆動する。駆動回路は、ｍ本の画像信号線（３００）に、ｍ系列の画像信号を出力する画像信号出力手段と、ｍ系列の画像信号を、複数のデータ線に対して、ｍ本のデータ線からなるデータ線群毎に振り分けて供給する画像信号振分手段（７）とを備える。ここで特に、画像信号振分手段は、複数のデータ線のうち、互いに隣り合うデータ線に相異なるタイミングで供給されるように、ｍ系列の画像信号を振り分ける。【選択図】図３
2010243988.tif 000002
【特許請求の範囲】
【請求項１】
複数のデータ線に対してｍ（但し、ｍは２以上の自然数）本の画像信号線を介してｍ系列にシリアル−パラレル変換された画像信号を出力することで電気光学装置を駆動する駆動回路であって、
前記ｍ本の画像信号線に、前記ｍ系列の画像信号を出力する画像信号出力手段と、
前記ｍ系列の画像信号を、前記複数のデータ線に対して、ｍ本のデータ線からなるデータ線群毎に振り分けて供給する画像信号振分手段と
を備え、
前記画像信号振分手段は、前記複数のデータ線のうち、互いに隣り合うデータ線に相異なるタイミングで供給されるように、前記ｍ系列の画像信号を振り分ける
ことを特徴とする駆動回路。
【請求項２】
前記互いに隣り合うデータ線に、前記ｍ系列の画像信号が供給されるタイミングは、互いに少なくとも部分的に重なり合っていることを特徴とする請求項１に記載の駆動回路。
【請求項３】
前記画像信号振分手段は、ゲート信号によって開閉が制御されるトランジスタを含んでおり、
前記トランジスタのドレイン側には、前記ゲート信号を反転した反転信号が容量結合されている
ことを特徴とする請求項１又は２に記載の駆動回路。
【請求項４】
前記画像信号振分手段は、ＣＭＯＳ（Complementary Metal Oxide Semiconductor）型回路を含んでいることを特徴とする請求項１又は２に記載の駆動回路。
【請求項５】
請求項１から４のいずれか一項に記載の駆動回路を備えることを特徴とする電気光学装置。
【請求項６】
請求項５に記載の電気光学装置を備えることを特徴とする電子機器。
【請求項７】
複数のデータ線に対してｍ（但し、ｍは２以上の自然数）本の画像信号線を介してｍ系列にシリアル−パラレル変換された画像信号を出力することで電気光学装置を駆動する駆動方法であって、
前記ｍ本の画像信号線に、前記ｍ系列の画像信号を出力する画像信号出力工程と、
前記ｍ系列の画像信号を、前記複数のデータ線に対して、ｍ本のデータ線からなるデータ線群毎に振り分けて供給する画像信号振分工程と
を備え、
前記画像信号振分工程では、前記複数のデータ線のうち、互いに隣り合うデータ線に相異なるタイミングで供給されるように、前記ｍ系列の画像信号が振り分けられる
ことを特徴とする駆動方法。
【発明の詳細な説明】
【技術分野】
【０００１】
本発明は、例えば液晶表示装置等の電気光学装置を駆動する駆動回路及び駆動方法、並びに該駆動回路を備えた電気光学装置、及び該電気光学装置を備えた、例えば液晶プロジェクター等の電子機器の技術分野に関する。
【背景技術】
【０００２】
この種の駆動回路が適用される電気光学装置として、例えば複数の系列にシリアル−パラレル変換された画像信号を、各データ線に振り分けて供給するもの（所謂、相展開駆動されるもの）がある。相展開駆動を行う場合には、画像信号線の寄生容量やプッシュダウン等に起因して、表示される画像に系列ムラが生じてしまうことがある。このため、例えば相展開の系列ブロックの境界に位置するデータ線に供給される画像信号を、階調値に応じてムラが低減されるように補正するという技術が提案されている（特許文献１参照）。
【先行技術文献】
【特許文献】
【０００３】
【特許文献１】特開２００６−４７９７１号公報
【発明の概要】
【発明が解決しようとする課題】
【０００４】
しかしながら、上述した技術においては、画像信号に所定の補正処理を施すことが求められてしまうため、画像信号に対する処理が増加し、装置の処理能力への負荷が大きくなってしまう。加えて、補正処理を施す補正回路を設けることが求められてしまうため、装置の回路構成も高度複雑化してしまう。即ち、上述した技術には、画像の品質を向上させる代わりに、様々な不都合が生じてしまうおそれがあるという技術的問題点がある。
【０００５】
本発明は、例えば上述した問題点に鑑みなされたものであり、好適に高品質な画像を表示させることが可能な駆動回路及び駆動方法、並びに電気光学装置及び電子機器を提供することを課題とする。
【課題を解決するための手段】
【０００６】
本発明の駆動回路は上記課題を解決するために、複数のデータ線に対してｍ（但し、ｍは２以上の自然数）本の画像信号線を介してｍ系列にシリアル−パラレル変換された画像信号を出力することで電気光学装置を駆動する駆動回路であって、前記ｍ本の画像信号線に、前記ｍ系列の画像信号を出力する画像信号出力手段と、前記ｍ系列の画像信号を、前記複数のデータ線に対して、ｍ本のデータ線からなるデータ線群毎に振り分けて供給する画像信号振分手段とを備え、前記画像信号振分手段は、前記複数のデータ線のうち、互いに隣り合うデータ線に相異なるタイミングで供給されるように、前記ｍ系列の画像信号を振り分ける。
【０００７】
本発明の駆動回路によれば、その動作時には、画像信号出力手段によって、ｍ系列にシリアル−パラレル変換された画像信号が、ｍ本の画像信号線に出力される。即ち、データ信号はｍ系列に分割されて、電気光学装置に出力される。ｍ本の画像信号線に出力された画像信号は、画像信号振分手段によって振り分けられ、複数のデータ線に対して、夫々ｍ本のデータ線からなるデータ線群毎に供給される。尚、「ｍ」は２以上の自然数であり、データ線の総数より小さい値、好ましくはｍの倍数がデータ線の総数となるような値をとる。
【０００８】
上述した構成により、電気光学装置では、複数の画素に同時にデータ信号を書き込むことが可能となり、各画素にデータ電圧を書き込む時間を十分に確保することができる。よって、例えば高解像度のパネルを有する電気光学装置においても、安定した表示が可能となる。
【０００９】
本発明では特に、ｍ系列の画像信号は、画像信号振分手段によって、複数のデータ線のうち、互いに隣り合うデータ線に相異なるタイミングで供給されるように振り分けられる。即ち、互いに隣り合うデータ線には、同じタイミングでは画像信号が供給されない。尚、ここでの「相異なるタイミング」とは、互いに隣り合うデータ線に対して同時に画像信号が供給されている期間が全くないことを意味するものではなく、画像信号の供給開始と供給終了のタイミングの少なくとも一方が、互いに異なっている状態を指すものとする。
【００１０】
ここで仮に、互いに隣り合うデータ線に、画像信号が同じタイミングで供給されてしまうと、表示領域における各系列の端に位置するデータ線とそれ以外のデータ線の間に、例えば容量結合に起因した書込電圧の違いや、プッシュダウンの発生量の違いが生じるおそれがある。
【００１１】
しかるに本発明では特に、上述したように、画像信号は互いに隣り合うデータ線に対して同じタイミングで供給されない。これにより、画像信号線の容量結合やプッシュダウンのばらつき等による影響を極めて効果的に低減することができる。よって、容量結合やプッシュダウンに起因して、各系列の境界沿ったスジムラが生じてしまうことを防止することができる。
【００１２】
尚、画像信号を供給するタイミングを、全てのデータ線でバラバラにするのではなく、奇数列のデータ線及び偶数列のデータ線に対する供給タイミングが互いに異なるようにすれば、比較的簡易な構成で上述した画像信号の振分を実現できる。即ち、データ線に対して１本飛びで画像信号を同時に供給するようにすればよい。また、１本飛びでなくとも、２本飛びや３本飛びなどの所定間隔で画像信号を同時に供給する場合であっても、同様の効果を得ることができる。
【００１３】
以上説明したように、本発明の駆動回路によれば、相展開駆動における系列ムラを低減し、高品質な画像を表示させることが可能となる。
【００１４】
本発明の駆動回路の一態様では、前記互いに隣り合うデータ線に、前記ｍ系列の画像信号が供給されるタイミングは、互いに少なくとも部分的に重なり合っている。
【００１５】
この態様によれば、ｍ系列の画像信号が供給されるタイミングが重なり合っている分、夫々の画像信号を供給する期間をより長く設定することができる。よって、画像信号の書込期間の不足を防止することができる。尚、ここでの「重なり合う」とは、一のデータ線に対して画像信号の供給が開始され、この供給が終了する前に、他のデータ線に対して画像信号の供給が開始されるような場合を意味する。即ち、互いに隣り合うデータ線において、同時に画像信号が供給されている期間が少なくとも存在することを意味する。
【００１６】
書込期間の不足が防止されることによって、書込が不足してしまうことに起因する表示ムラを低減させることができる。従って、本態様ではより高品質な画像を表示させることが可能となる。
【００１７】
本発明の駆動回路の他の態様では、前記画像信号振分手段は、ゲート信号によって開閉が制御されるトランジスタを含んでおり、前記トランジスタのドレイン側には、前記ゲート信号を反転した反転信号が容量結合されている。
【００１８】
この態様によれば、画像信号振分手段にトランジスタが含まれており、トランジスタの開閉が制御されることによって画像信号が振り分けられる。具体的には、トランジスタの開閉によって各データ線への導通が制御され、各データ線に対して選択的に画像信号を供給することが可能となる。トランジスタは、例えばパルス状のゲート信号が供給されることによって開閉が制御される。
【００１９】
本態様では特に、トランジスタのドレイン側（即ち、ソースと反対側）には、ゲート信号を反転した反転信号が容量結合されている。このため、ゲート信号が供給されるゲート信号線とデータ線との間に発生する寄生容量に起因するプッシュダウンの発生を防止することができる。即ち、プッシュダウン量を小さくすることができる。
【００２０】
プッシュダウン量を小さくすることによって、プッシュダウンに起因した表示ムラを低減することができる。従って、本態様ではより高品質な画像を表示させることが可能となる。
【００２１】
本発明の駆動回路の他の態様では、前記画像信号振分手段は、ＣＭＯＳ（Complementary Metal Oxide Semiconductor）型回路を含んでいる。
【００２２】
この態様によれば、画像信号振分手段にＣＭＯＳ型回路が含まれているため、上述した反転信号を容量結合させる態様と同様に、プッシュダウン量を小さくすることができる。従って、本態様ではより高品質な画像を表示させることが可能となる。
【００２３】
本発明の電気光学装置は上記課題を解決するために、上述した本発明の駆動回路（但し、その各種態様も含む）を備える。
【００２４】
本発明の電気光学装置によれば、上述した本発明に係る駆動回路を具備してなるので、相展開駆動における系列ムラを効果的に低減することができる。従って、高品質な画像を表示することが可能である。
【００２５】
尚、駆動回路は、本発明の電気光学装置において、例えば電気光学物質を挟持する素子基板上に設けられていてもよいし、この素子基板に電気的に接続される他の基板上に設けられていてもよい。
【００２６】
本発明の電子機器は上記課題を解決するために、上述した本発明の電気光学装置を備える。
【００２７】
本発明の電子機器によれば、上述した本発明に係る電気光学装置を具備してなるので、高品質な表示を行うことが可能な、投射型表示装置、テレビ、携帯電話、電子手帳、ワードプロセッサー、ビューファインダー型又はモニタ直視型のビデオテープレコーダー、ワークステーション、テレビ電話、ＰＯＳ端末、タッチパネルなどの各種電子機器を実現できる。また、本発明の電子機器として、例えば電子ペーパーなどの電気泳動装置等も実現することも可能である。
【００２８】
本発明の駆動方法は上記課題を解決するために、複数のデータ線に対してｍ（但し、ｍは２以上の自然数）本の画像信号線を介してｍ系列にシリアル−パラレル変換された画像信号を出力することで電気光学装置を駆動する駆動方法であって、前記ｍ本の画像信号線に、前記ｍ系列の画像信号を出力する画像信号出力工程と、前記ｍ系列の画像信号を、前記複数のデータ線に対して、ｍ本のデータ線からなるデータ線群毎に振り分けて供給する画像信号振分工程とを備え、前記画像信号振分工程では、前記複数のデータ線のうち、互いに隣り合うデータ線に相異なるタイミングで供給されるように、前記ｍ系列の画像信号が振り分けられる。
【００２９】
本発明の駆動方法によれば、上述した本発明の駆動回路の場合と同様に、相展開駆動における系列ムラを効果的に低減することができる。従って、高品質な画像を表示することが可能である。
【００３０】
尚、本発明の駆動方法においても、上述した本発明の駆動回路における各種態様と同様の各種態様を採ることが可能である。
【００３１】
本発明の作用及び他の利得は次に説明する発明を実施するための形態から明らかにされる。
【図面の簡単な説明】
【００３２】
【図１】実施形態に係る電気光学装置の全体構成を示す平面図である。
【図２】図１のＨ−Ｈ´線断面図である。
【図３】実施形態に係る電気光学装置の電気的な構成を示すブロック図である。
【図４】実施形態に係る電気光学装置の画素部の等価回路図である。
【図５】第１実施形態に係る駆動方法を示すタイミングチャートである。
【図６】比較例に係る駆動方法を示すタイミングチャートである。
【図７】画像表示領域における表示ムラを概念的に示す平面図である。
【図８】第２実施形態に係る電気光学装置の具体的な構成を示すブロック図である。
【図９】第２実施形態に係る駆動方法を示すタイミングチャートである。
【図１０】第３実施形態に係る駆動回路の構成を示す回路図である。
【図１１】電気光学装置を適用した電子機器の一例たるプロジェクターの構成を示す平面図である。
【発明を実施するための形態】
【００３３】
以下では、本発明の実施形態について図を参照しつつ説明する。
【００３４】
＜電気光学装置＞
先ず、本発明の駆動回路によって駆動される電気光学装置について、図１から図４を参照して説明する。尚、以下の実施形態では、本発明の電気光学装置の一例である駆動回路内蔵型のＴＦＴ（Thin Film Transistor）アクティブマトリクス駆動方式の液晶装置を例にとる。
【００３５】
本実施形態に係る電気光学装置の全体構成について、図１及び図２を参照して説明する。ここに図１は、本実施形態に係る電気光学装置の全体構成を示す平面図であり、図２は、図１のＨ−Ｈ´線断面図である。
【００３６】
図１及び図２において、本実施形態に係る電気光学装置１００では、ＴＦＴアレイ基板１０と対向基板２０とが対向配置されている。ＴＦＴアレイ基板１０は、例えば石英基板、ガラス基板等の透明基板や、シリコン基板等である。対向基板２０は、例えば石英基板、ガラス基板等の透明基板である。ＴＦＴアレイ基板１０と対向基板２０との間には、液晶層５０が封入されている。液晶層５０は、例えば一種又は数種類のネマティック液晶を混合した液晶からなり、一対の配向膜間で所定の配向状態をとる。
【００３７】
ＴＦＴアレイ基板１０と対向基板２０とは、複数の画素電極が設けられた画像表示領域１０ａの周囲に位置するシール領域に設けられたシール材５２により、相互に接着されている。
【００３８】
シール材５２は、両基板を貼り合わせるための、例えば紫外線硬化樹脂、熱硬化樹脂等からなり、製造プロセスにおいてＴＦＴアレイ基板１０上に塗布された後、紫外線照射、加熱等により硬化させられたものである。シール材５２中には、ＴＦＴアレイ基板１０と対向基板２０との間隔（即ち、基板間ギャップ）を所定値とするためのグラスファイバー或いはガラスビーズ等のギャップ材が散布されている。尚、ギャップ材を、シール材５２に混入されるものに加えて若しくは代えて、画像表示領域１０ａ又は画像表示領域１０ａの周辺に位置する周辺領域に、配置するようにしてもよい。
【００３９】
シール材５２が配置されたシール領域の内側に並行して、画像表示領域１０ａの額縁領域を規定する遮光性の額縁遮光膜５３が、対向基板２０側に設けられている。尚、このような額縁遮光膜５３の一部又は全部は、ＴＦＴアレイ基板１０側に内蔵遮光膜として設けられてもよい。
【００４０】
周辺領域のうち、シール材５２が配置されたシール領域の外側に位置する領域には、画像信号線上の画像信号をサンプリングしてデータ線に供給するサンプリング回路７、データ線駆動回路１０１及び外部回路接続端子１０２がＴＦＴアレイ基板１０の一辺に沿って設けられている。走査線駆動回路１０４は、この一辺に隣接する２辺に沿い、且つ、額縁遮光膜５３に覆われるようにして設けられている。更に、このように画像表示領域１０ａの両側に設けられた二つの走査線駆動回路１０４間をつなぐため、ＴＦＴアレイ基板１０の残る一辺に沿い、且つ、額縁遮光膜５３に覆われるようにして複数の配線１０５が設けられている。
【００４１】
ＴＦＴアレイ基板１０上における対向基板２０の４つのコーナー部に対向する領域には、両基板間を上下導通材１０７で接続するための上下導通端子１０６が配置されている。これらにより、ＴＦＴアレイ基板１０と対向基板２０との間で電気的な導通をとることができる。
【００４２】
図２において、ＴＦＴアレイ基板１０上には、駆動素子である画素スイッチング用のＴＦＴや走査線、データ線等の配線が作り込まれた積層構造が形成される。この積層構造の詳細な構成については図２では図示を省略してあるが、この積層構造の上に、ＩＴＯ（Indium Tin Oxide）等の透明材料からなる画素電極９ａが、画素毎に所定のパターンで島状に形成されている。
【００４３】
画素電極９ａは、対向電極２１に対向するように、ＴＦＴアレイ基板１０上の画像表示領域１０ａに形成されている。ＴＦＴアレイ基板１０における液晶層５０の面する側の表面、即ち画素電極９ａ上には、配向膜１６が画素電極９ａを覆うように形成されている。
【００４４】
対向基板２０におけるＴＦＴアレイ基板１０との対向面上には、遮光膜２３が形成されている。遮光膜２３は、例えば対向基板２０における対向面上に平面的に見て、格子状に形成されている。対向基板２０において、遮光膜２３によって非開口領域が規定され、遮光膜２３によって区切られた領域が、例えばプロジェクター用のランプや直視用のバックライトから出射された光を透過させる開口領域となる。尚、遮光膜２３をストライプ状に形成し、該遮光膜２３と、ＴＦＴアレイ基板１０側に設けられたデータ線等の各種構成要素とによって、非開口領域を規定するようにしてもよい。
【００４５】
遮光膜２３上には、ＩＴＯ等の透明材料からなる対向電極２１が複数の画素電極９ａと対向するように形成されている。また遮光膜２３上には、画像表示領域１０ａにおいてカラー表示を行うために、開口領域及び非開口領域の一部を含む領域に、図２には図示しないカラーフィルターが形成されるようにしてもよい。対向基板２０の対向面上における、対向電極２１上には、配向膜２２が形成されている。
【００４６】
尚、図１及び図２に示したＴＦＴアレイ基板１０上には、上述したデータ線駆動回路１０１、走査線駆動回路１０４等の駆動回路に加えて、複数のデータ線に所定電圧レベルのプリチャージ信号を画像信号に先行して各々供給するプリチャージ回路、製造途中や出荷時の当該電気光学装置１００の品質、欠陥等を検査するための検査回路等を形成してもよい。
【００４７】
次に、本実施形態に係る電気光学装置の電気的な構成について、図３及び図４を参照して説明する。ここに図３は、本実施形態に係る電気光学装置の電気的な構成を示すブロック図であり、図４は、本実施形態に係る電気光学装置の画素部の等価回路図である。
【００４８】
図３において、本実施形態に係る電気光学装置１００は、上述したように、画像表示領域１０ａの周辺に、走査線駆動回路１０４、データ線駆動回路１０１及びサンプリング回路７が配置されて構成されている。
【００４９】
画像表示領域１０ａは、画素部６００が配列される領域であり、本実施形態では、１０８８行の走査線１１ａが横方向（即ち、Ｘ方向）に設けられており、１９８４列のデータ線６ａが縦方向（即ち、Ｙ方向）に設けられている。そして、これらの走査線１１ａとデータ線６ａとの交差の各々に対応するように画素部６００が夫々設けられている。従って、本実施形態では、画素部６００が画像表示領域１０ａにおいて、縦１０８８行×横１９８４列でマトリクス状に配列することになるが、本発明をこの配列に限定する趣旨ではない。
【００５０】
図４に示すように、画素部６００は、画素スイッチング用ＴＦＴ３０、液晶素子７２及び蓄積容量７０を備えている。
【００５１】
画素スイッチング用ＴＦＴ３０は、ソースがデータ線６ａに電気的に接続され、ゲートが走査線１１ａに電気的に接続され、ドレインが後述する液晶素子７２の画素電極９ａに電気的に接続されている。画素スイッチング用ＴＦＴ３０は、走査線駆動回路１０４から供給される走査信号によってオンオフが切り換えられる。
【００５２】
液晶素子７２は、画素電極９ａ、対向電極２１並びに画素電極９ａ及び対向電極２１間に狭持された液晶から構成されている。液晶素子７２において、データ線６ａ及び画素電極９ａを介して液晶に書き込まれた所定レベルのデータ信号は、対向電極２１との間で一定期間保持される。液晶は、印加される電圧レベルにより分子集合の配向や秩序が変化することにより、光を変調し、階調表示を可能とする。ノーマリーホワイトモードであれば、各画素の単位で印加された電圧に応じて入射光に対する透過率が減少し、ノーマリーブラックモードであれば、各画素の単位で印加された電圧に応じて入射光に対する透過率が増加され、全体として液晶装置１００からは画像信号に応じたコントラストをもつ光が出射する。
【００５３】
蓄積容量７０は、保持された画像信号がリークするのを防ぐために、画素電極９ａと対向電極との間に形成される液晶容量と並列に付加されている。
【００５４】
以上のような画素部６００が、画像表示領域１０ａにマトリクス状に配列されているので、アクティブマトリクス駆動が可能となっている。走査線駆動回路１０４、データ線駆動回路１０１及びサンプリング回路７の構成及び動作については、以下に詳述する。
【００５５】
＜駆動回路及び駆動方法＞
次に、上述した電気光学装置を駆動するための駆動回路及び駆動方法について、図３に加えて、図５から図１０を参照して説明する。尚、以下では、構成の異なる３種類の駆動回路を例にとり夫々説明する。
【００５６】
＜第１実施形態＞
先ず、第１実施形態に係る駆動回路の構成について、図３を参照して説明する。
【００５７】
図３において、走査線駆動回路１０４は、シフトレジスタを有しており、１、２、３、・・・、１０８８行目の走査線１１ａに、走査信号Ｇ１、Ｇ２、Ｇ３、・・・、Ｇ１０８８を供給する。詳細には、走査線駆動回路１０４は、１フレームの期間にわたって１、２、３、・・・、１０８８行目の走査線１１ａを順番に選択するとともに、選択した走査線への走査信号を選択電圧に相当するＨレベルとし、それ以外の走査線への走査信号を非選択電圧に相当するＬレベルとする。
【００５８】
データ線駆動回路１０１は、シフトレジスタ４００と、イネーブル信号ＥＮＢ１〜ＥＮＢ４を夫々供給するイネーブル信号供給線５１０と、複数のＡＮＤ回路５２０と、信号ＮＲＧを供給するＮＲＧ供給線５３０と、複数のＯＲ回路５４０とを備えて構成されている。
【００５９】
シフトレジスタ４００から出力された信号は、先ずＡＮＤ回路５２０において、イネーブル信号ＥＮＢ１〜ＥＮＢ４との論理積が求められ、結果として論理積信号が後段のＯＲ回路５４０へと出力される。ＯＲ回路５４０では、論理積信号と信号ＮＲＧとの論理和が求められ、結果として論理和信号がサンプリング回路７へと出力される。
【００６０】
サンプリング回路７は、本発明の「画像信号振分手段」の一例であり、図示しない画像信号出力回路から出力された画像信号を供給する複数の画像信号線３００と、トランジスタ７１とを備えて構成されている。
【００６１】
画像信号線３００は、画像信号ＶＩＤ１〜ＶＩＤ１２に対応して、１２本設けられている。即ち本実施形態では、画像信号が１２系列にシリアル−パラレル変換されている。このようなシリアル−パラレル変換は、ＴＦＴアレイ基板１０上に設けられる回路によって行われてもよいし、外部（例えば、電気光学装置に接続されるフレキシブル基板上）に設けられた回路において行われてもよい。
【００６２】
トランジスタ７１は、例えばｎチャネル型の薄膜トランジスタ（Thin Film Transistor：ＴＦＴ）であり、１〜１９８４列のデータ線６ａの各々に対して設けられている。トランジスタ７１は、データ線駆動回路１０１から供給される信号によって夫々制御され、サンプリングスイッチとして機能する。
【００６３】
尚、本実施形態では、一のＯＲ回路５４０から出力される論理和信号が、複数のトランジスタ７１に対して、１つ飛びで供給されるように構成されている。
【００６４】
ここで本実施形態では特に、サンプリング回路７において、画像信号が、複数のデータ線６ａのうち互いに隣り合うデータ線に相異なるタイミングで供給されるように振り分けられる。即ち、互いに隣り合うデータ線には、同じタイミングでは画像信号が供給されないように振り分けられる。具体的には、一のデータ線と、該一のデータ線と隣り合う他のデータ線とで、互いに異なるＯＲ回路５４０から出力された論理和信号によってサンプリングが行われる。
【００６５】
図５において、より具体的には、先ず画像信号ＶＩＤ２、ＶＩＤ４及びＶＩＤ６が、論理和信号ＥＮ（２，４，６）のタイミングで、夫々図３における左から２番目のデータ線、４番目のデータ線及び６番目のデータ線に供給される。
【００６６】
続いて、画像信号ＶＩＤ１、ＶＩＤ３、ＶＩＤ５、ＶＩＤ７、ＶＩＤ９及びＶＩＤ１１が、論理和信号ＥＮ（１，３，５，７，９，１１）のタイミングで、夫々左から１番目のデータ線、３番目のデータ線、５番目のデータ線、７番目のデータ線、９番目のデータ線及び１１番目のデータ線に供給される。
【００６７】
続いて、画像信号ＶＩＤ２、ＶＩＤ４、ＶＩＤ６、ＶＩＤ８、ＶＩＤ１０及びＶＩＤ１２が、論理和信号ＥＮ（８，１０，１２，１４，１６，１８）のタイミングで、夫々左から１４番目のデータ線、１６番目のデータ線、１８番目のデータ線、８番目のデータ線、１０番目のデータ線及び１２番目のデータ線に供給される。
【００６８】
続いて、画像信号ＶＩＤ１、ＶＩＤ３、ＶＩＤ５、ＶＩＤ７、ＶＩＤ９及びＶＩＤ１１が、論理和信号ＥＮ（１３，１５，１７，１９，２１，２３）のタイミングで、夫々左から１３番目のデータ線、１５番目のデータ線、１７番目のデータ線、１９番目のデータ線、２１番目のデータ線及び２３番目のデータ線に供給される。
【００６９】
続いて、画像信号ＶＩＤ２、ＶＩＤ４、ＶＩＤ６、ＶＩＤ８、ＶＩＤ１０及びＶＩＤ１２が、論理和信号ＥＮ（２０，２２，２４，２６，２８，３０）のタイミングで、夫々左から２６番目のデータ線、２８番目のデータ線、３０番目のデータ線、２０番目のデータ線、２２番目のデータ線及び２４番目のデータ線に供給される。
【００７０】
このように、本実施形態では、奇数系列の画像信号（即ち、ＶＩＤ１、ＶＩＤ３、ＶＩＤ５、ＶＩＤ７、ＶＩＤ９及びＶＩＤ１１）と、偶数系列の画像信号（即ち、ＶＩＤ２、ＶＩＤ４、ＶＩＤ６、ＶＩＤ８、ＶＩＤ１０及びＶＩＤ１２）が、交互にサンプリングされる。よって、互いに隣り合うデータ線には、相異なるタイミングで画像信号が供給される。
【００７１】
ここで仮に、図６に示すような駆動が行われる場合を考える。この場合には、画像信号ＶＩＤ１〜ＶＩＤ１２が、互いに同じタイミングで順次供給される。よって、互いに隣り合うデータ線に、画像信号が同じタイミングで供給されてしまう。
【００７２】
図７において、図６に示すような駆動では、画像表示領域１０ａ上に、系列の境界に沿った系列ムラが生じてしまうおそれがある。この系列ムラは、電気光学装置において表示される画像の品質を低下させる原因となる。
【００７３】
上述した系列ムラは、例えば複数のデータ線６ａからなるデータ線群毎に順次画像信号が供給される際に、一のデータ線群に対応するブロックへの書込が終了した後に、一のデータ線群と互いに隣り合う他のデータ線群に対応するブロックへの書込が開始されることに起因している。即ち、画像信号の書込がブロック単位で行われるが故に、ブロックの境界に位置する箇所に表示ムラが生じてしまう。
【００７４】
加えて、トランジスタ７１（図３参照）がオンオフされる際のプッシュダウンによっても、系列ムラが生じてしまう場合がある。
【００７５】
これに対し本実施形態では、上述したように、画像信号が互いに隣り合うデータ線に対して同じタイミングで供給されない。これにより、画像信号線の容量結合やプッシュダウンのばらつき等による影響を極めて効果的に低減することができる。よって、容量結合やプッシュダウンに起因して、図７に示すような系列ムラが生じてしまうことを防止することができる。
【００７６】
以上説明したように、本実施形態に係る駆動回路及び駆動方法によれば、相展開駆動における系列ムラを低減し、高品質な画像を表示させることが可能となる。
【００７７】
＜第２実施形態＞
次に、第２実施形態に係る駆動回路及び駆動方法について、図８及び図９を参照して説明する。ここに図８は、第２実施形態に係る電気光学装置の具体的な構成を示すブロック図であり、図９は、第２実施形態に係る駆動方法を示すタイミングチャートである。尚、第２実施形態は、上述の第１実施形態と比べて、一部の回路構成が異なり、その他の構成については概ね同様である。このため第２実施形態では、第１実施形態と異なる部分について詳細に説明し、その他の重複する部分については適宜説明を省略する。
【００７８】
図８において、第２実施形態に係る駆動回路では、一のＯＲ回路５４０から出力される論理和信号が、複数のトランジスタ７１に対して、２つ飛びで供給されるように構成されている。即ち、上述した第１実施形態と比べて、ＯＲ回路５４０とトランジスタ７１の接続構成が異なっている。
【００７９】
図９において、第２実施形態に係る駆動回路では、先ず画像信号ＶＩＤ２が、論理和信号ＥＮ（２）のタイミングで、図８における左から２番目のデータ線に供給される。
【００８０】
続いて、画像信号ＶＩＤ３及びＶＩＤ６が、論理和信号ＥＮ（３，６）のタイミングで、夫々左から３番目のデータ線及び６番目のデータ線に供給される。
【００８１】
続いて、画像信号ＶＩＤ１、ＶＩＤ４、ＶＩＤ７、ＶＩＤ１０が、論理和信号ＥＮ（１，４，７，１０）のタイミングで、夫々左から１番目のデータ線、４番目のデータ線、７番目のデータ線及び１０番目のデータ線に供給される。
【００８２】
続いて、画像信号ＶＩＤ２、ＶＩＤ５、ＶＩＤ８及びＶＩＤ１１が、論理和信号ＥＮ（５，８，１１，１４）のタイミングで、夫々左から１４番目のデータ線、５番目のデータ線、８番目のデータ線及び１１番目のデータ線に供給される。
【００８３】
続いて、画像信号ＶＩＤ３、ＶＩＤ６、ＶＩＤ９及びＶＩＤ１２が、論理和信号ＥＮ（９，１２，１５，１８）のタイミングで、夫々左から１５番目のデータ線、１８番目のデータ線、９番目のデータ線及び１２番目のデータ線に供給される。
【００８４】
続いて、画像信号ＶＩＤ１、ＶＩＤ４、ＶＩＤ７、ＶＩＤ１０が、論理和信号ＥＮ（１３，１６，１９，２２）のタイミングで、夫々左から１３番目のデータ線、１６番目のデータ線、１９番目のデータ線及び２２番目のデータ線に供給される。
【００８５】
このように、本実施形態では、各系列の画像信号が、ＶＩＤ１、ＶＩＤ４、ＶＩＤ７、ＶＩＤ１０と、ＶＩＤ２、ＶＩＤ５、ＶＩＤ８及びＶＩＤ１１と、ＶＩＤ３、ＶＩＤ６、ＶＩＤ９及びＶＩＤ１２とに分けて夫々同時に供給される。よって、互いに隣り合うデータ線には、相異なるタイミングで画像信号が供給される。
【００８６】
これにより、画像信号線の容量結合やプッシュダウンのばらつき等による影響を極めて効果的に低減することができる。よって、容量結合やプッシュダウンに起因して、図７に示すような系列ムラが生じてしまうことを防止することができる。
【００８７】
以上説明したように、第２実施形態に係る駆動回路及び駆動方法によれば、第１実施形態と同様に、相展開駆動における系列ムラを低減し、高品質な画像を表示させることが可能となる。
【００８８】
＜第３実施形態＞
次に、第３実施形態に係る駆動回路及び駆動方法について、図１０を参照して説明する。ここに図１０は、第３実施形態に係る駆動回路の構成を示す回路図である。尚、第３実施形態は、上述の第１及び第２実施形態と比べて、サンプリング回路７の一部の構成が異なり、その他の構成については概ね同様である。このため第３実施形態では、第１及び第２実施形態と異なる部分について詳細に説明し、その他の重複する部分については適宜説明を省略する。
【００８９】
図１０において、第３実施形態に係る駆動回路では、サンプリング回路７（図３又は図８参照）におけるトランジスタ７１のドレイン側に、ゲート信号（即ち、ＯＲ回路５４０から供給される論理和信号）の反転信号が容量結合されている。具体的には、反転信号生成回路７１０から、トランジスタ７１のドレイン側に反転信号が供給されることによって、容量７２０が形成されている。
【００９０】
上述した反転信号が容量結合される構成によれば、トランジスタ７１がオンオフされる際のプッシュダウンを殆ど或いは完全になくすことができる。よって、プッシュダウンに起因した系列ムラを効果的に低減することができる。
【００９１】
尚、反転信号を容量結合させる代わりに、ＣＭＯＳ型の回路を利用することによっても同様の効果が期待できる。
【００９２】
以上説明したように、第３実施形態に係る駆動回路及び駆動方法によれば、プッシュダウンのばらつきをなくすだけでなく、プッシュダウンそのものを小さくできるため、より高品質な画像を表示させることが可能となる。
【００９３】
＜電子機器＞
次に、上述した電気光学装置である液晶装置を各種の電子機器に適用する場合について説明する。ここに図１１は、プロジェクターの構成例を示す平面図である。以下では、この液晶装置をライトバルブとして用いたプロジェクターについて説明する。
【００９４】
図１１に示されるように、プロジェクター１１００内部には、ハロゲンランプ等の白色光源からなるランプユニット１１０２が設けられている。このランプユニット１１０２から射出された投射光は、ライトガイド１１０４内に配置された４枚のミラー１１０６及び２枚のダイクロイックミラー１１０８によってＲＧＢの３原色に分離され、各原色に対応するライトバルブとしての液晶パネル１１１０Ｒ、１１１０Ｂ及び１１１０Ｇに入射される。
【００９５】
液晶パネル１１１０Ｒ、１１１０Ｂ及び１１１０Ｇの構成は、上述した液晶装置と同等であり、画像信号処理回路から供給されるＲ、Ｇ、Ｂの原色信号でそれぞれ駆動されるものである。そして、これらの液晶パネルによって変調された光は、ダイクロイックプリズム１１１２に３方向から入射される。このダイクロイックプリズム１１１２においては、Ｒ及びＢの光が９０度に屈折する一方、Ｇの光が直進する。従って、各色の画像が合成される結果、投射レンズ１１１４を介して、スクリーン等にカラー画像が投写されることとなる。
【００９６】
ここで、各液晶パネル１１１０Ｒ、１１１０Ｂ及び１１１０Ｇによる表示像について着目すると、液晶パネル１１１０Ｇによる表示像は、液晶パネル１１１０Ｒ、１１１０Ｂによる表示像に対して左右反転することが必要となる。
【００９７】
尚、液晶パネル１１１０Ｒ、１１１０Ｂ及び１１１０Ｇには、ダイクロイックミラー１１０８によって、Ｒ、Ｇ、Ｂの各原色に対応する光が入射するので、カラーフィルターを設ける必要はない。
【００９８】
尚、図１１を参照して説明した電子機器の他にも、モバイル型のパーソナルコンピュータや、携帯電話、液晶テレビや、ビューファインダー型、モニタ直視型のビデオテープレコーダー、カーナビゲーション装置、ページャー、電子手帳、電卓、ワードプロセッサー、ワークステーション、テレビ電話、ＰＯＳ端末、タッチパネルを備えた装置等が挙げられる。そして、これらの各種電子機器に適用可能なのは言うまでもない。
【００９９】
また、本発明は上述の各実施形態で説明した液晶装置以外にも反射型液晶装置（ＬＣＯＳ）、プラズマディスプレイ（ＰＤＰ）、電界放出型ディスプレイ（ＦＥＤ、ＳＥＤ）、有機ＥＬディスプレイ、デジタルマイクロミラーデバイス（ＤＭＤ）、電気泳動装置等にも適用可能である。
【０１００】
本発明は、上述した実施形態に限られるものではなく、特許請求の範囲及び明細書全体から読み取れる発明の要旨或いは思想に反しない範囲で適宜変更可能であり、そのような変更を伴う駆動回路及び駆動方法、並びに電気光学装置及び電子機器もまた本発明の技術的範囲に含まれるものである。
【符号の説明】
【０１０１】
６ａ…データ線、７…サンプリング回路、９ａ…画素電極、１０…ＴＦＴアレイ基板、１０ａ…画像表示領域、１１ａ…走査線、２０…対向基板、３０…ＴＦＴ、５０…液晶層、７０…蓄積容量、７１…トランジスタ、７２…液晶素子、１００…電気光学装置、１０１…データ線駆動回路、１０２…外部回路接続端子、１０４…走査線駆動回路、３００…画像信号線、４００…シフトレジスタ、５１０…イネーブル信号供給線、５２０…ＡＮＤ回路、５３０…ＮＲＧ供給線、５４０…ＯＲ回路、６００…画素部、７１０…反転信号生成回路、７２０…容量
【図１】
2010243988.tif 000003
【図２】
2010243988.tif 000004
【図３】
2010243988.tif 000005
【図４】
2010243988.tif 000006
【図５】
2010243988.tif 000007
【図６】
2010243988.tif 000008
【図７】
2010243988.tif 000009
【図８】
2010243988.tif 000010
【図９】
2010243988.tif 000011
【図１０】
2010243988.tif 000012
【図１１】
2010243988.tif 000013